(57)【要約】      （修正有）【課題】複数のユーザの所定の設備の動作に対する満足度を向上する。【解決手段】制御装置２０Ａは、複数のユーザに関する情報を取得する情報取得部２３と、前記複数のユーザの位置を取得する位置取得部２３と、前記複数のユーザに関する情報と、前記複数のユーザ間の位置関係と、に基づき、所定の設備の動作を制御する制御部２３と、を備える。【選択図】図１
2014196055.tif 000002
【特許請求の範囲】
【請求項１】
複数のユーザに関する情報を取得する情報取得部と、
前記複数のユーザの位置を取得する位置取得部と、
前記複数のユーザに関する情報と、前記複数のユーザ間の位置関係と、に基づき、所定の設備の動作を制御する制御部と、
を備えることを特徴とする制御装置。
【請求項２】
前記情報取得部および前記位置取得部は、近接通信または前記複数のユーザを介した人体通信により、前記複数のユーザに関する情報および前記複数のユーザの位置をそれぞれ取得することを特徴とする請求項１記載の制御装置。
【請求項３】
前記複数のユーザに関する情報は、前記複数のユーザの体に関する情報であることを特徴とする請求項１または２記載の制御装置。
【請求項４】
前記制御部は、前記複数のユーザが着席する座席の少なくとも１つを移動させることを特徴とする請求項１から３のいずれか１項記載の制御装置。
【請求項５】
前記制御部は、前記複数のユーザが着席する座席の少なくとも１つの動作を規制することを特徴とする請求項１から４のいずれか１項記載の制御装置。
【請求項６】
前記制御部は、空調設備の動作を制御することを特徴とする請求項１から５のいずれか１項記載の制御装置。
【請求項７】
前記制御部は、表示用設備の動作を制御することを特徴とする請求項１から６のいずれか１項記載の制御装置。
【発明の詳細な説明】
【技術分野】
【０００１】
本発明は、制御装置に関する。
【背景技術】
【０００２】
多様な車載機器を搭載した車両における運転者の利便性を向上させるため、例えば、個人ＩＤカードに記録された運転者の身体の特徴に基づいて、車両の座席シートの前後・高さ位置を調整する技術が提案されている（例えば、特許文献１参照）。
【先行技術文献】
【特許文献】
【０００３】
【特許文献１】特開２００２−２８８２８６号公報
【発明の概要】
【発明が解決しようとする課題】
【０００４】
しかしながら、従来の技術では、運転者の座席については最適な運転姿勢位置を提供できるものの、同乗者については十分な検討がなされていなかった。
【０００５】
本発明は上記の課題に鑑みてなされたものであり、複数のユーザの所定の設備の動作に対する満足度を向上することを目的とする。
【課題を解決するための手段】
【０００６】
本発明の制御装置（２０Ａ，２０Ｂ，２０Ｃ，２０Ｄ）は、複数のユーザに関する情報を取得する情報取得部（２３）と、前記複数のユーザの位置を取得する位置取得部（２３）と、前記複数のユーザに関する情報と、前記複数のユーザ間の位置関係と、に基づき、所定の設備の動作を制御する制御部（２３）と、を備えている。
【０００７】
この場合において、前記情報取得部および前記位置取得部は、近接通信または前記複数のユーザを介した人体通信により、前記複数のユーザに関する情報および前記複数のユーザの位置をそれぞれ取得することとしてもよい。また、本発明の制御装置において、前記複数のユーザに関する情報は、前記複数のユーザの体に関する情報であることとしてもよい。
【０００８】
また、本発明の制御装置において、前記制御部は、前記複数のユーザが着席する座席の少なくとも１つを移動させることとしてもよい。また、本発明の制御装置において、前記制御部は、前記複数のユーザが着席する座席の少なくとも１つの動作を規制することとしてもよい。
【０００９】
また、本発明の制御装置において、前記制御部は、空調設備の動作を制御することとしてもよい。また、本発明の制御装置において、前記制御部は、表示用設備（６０）の動作を制御することとしてもよい。
【００１０】
なお、本発明をわかりやすく説明するために、上記においては一実施形態を表す図面の符号に対応つけて説明したが、本発明は、これに限定されるものではなく、後述の実施形態の構成を適宜改良しても良く、また、少なくとも一部を他の構成物に代替させても良い。更に、その配置について特に限定のない構成要件は、実施形態で開示した配置に限らず、その機能を達成できる位置に配置することができる。
【発明の効果】
【００１１】
本発明は、複数のユーザの所定の設備の動作に対する満足度を向上することができるという効果を奏する。
【図面の簡単な説明】
【００１２】
【図１】第１の実施形態に係る制御システムの構成を示す図である。
【図２】携帯機器の記憶部が記憶するユーザ情報テーブルの一例を示す図である。
【図３】車両内の座席の一例を示す図である。
【図４】制御装置の制御部が実行する座席位置調整処理の一例を示すフローチャートである。
【図５】図４の処理を説明するための図である。
【図６】図４の処理を説明するための図である。
【図７】第１の実施形態の変形例を説明するための図である。
【図８】第２の実施形態に係る制御システムの構成を示す図である。
【図９】車両内の座席の一例を示す図である。
【図１０】座席のリクライニング範囲の一例を示す図である。
【図１１】制御装置の制御部が実行するリクライニング制限処理の一例を示す図である。
【図１２】図１２（Ａ）〜図１２（Ｃ）は、図１１の処理を説明するための図である。
【図１３】図１１の処理を説明するための図である。
【図１４】第３の実施形態に係る制御システムの一例を示す図である。
【図１５】座席の一例を示す図である。
【図１６】制御装置の制御部が実行する座席の高さ調整処理の一例を示す図である。
【図１７】図１６の処理を説明するための図である。
【図１８】第４の実施形態に係る制御システムの一例を示す図である。
【図１９】展示ブースの一例を示す図である。
【図２０】制御装置の制御部が実行する表示装置制御処理の一例を示す図である。
【発明を実施するための形態】
【００１３】
《第１の実施形態》
以下、第１の実施形態について、図１〜図６に基づいて、詳細に説明する。図１には、第１の実施形態にかかる制御システム５００Ａの構成がブロック図にて示されている。
【００１４】
制御システム５００Ａは、自動車の車両内の設備の動作を制御するのに利用されるものである。図１に示すように、制御システム５００Ａは、携帯機器１０Ａ〜１０Ｃと、制御装置２０Ａと、座席制御ＥＣＵ（Electronic Control Unit）３０と、を備える。
【００１５】
（携帯機器１０Ａ〜１０Ｃ）
携帯機器１０Ａ〜１０Ｃは、ユーザにより携帯された状態で利用される情報機器である。携帯機器１０Ａ〜１０Ｃとしては、携帯電話、スマートフォン、ＰＨＳ（Personal Handy-phone System）、ＰＤＡ（Personal Digital Assistant）等を採用することができるが、本実施形態では、携帯機器１０Ａ〜１０Ｃは、スマートフォンであるものとする。また、本実施形態においては、携帯機器１０Ａ〜１０Ｃは、電話機能やインターネット等に接続するための通信機能、および、プログラムを実行するためのデータ処理機能等を有する。なお、本実施形態において、携帯機器１０Ａ〜１０Ｃは、同一の構成を有するため、以後、特に区別する必要のない限り携帯機器１０Ａ〜１０Ｃを携帯機器１０と記載し、説明を行なう。
【００１６】
携帯機器１０は、通信ユニット１１と、記憶部１２と、制御部１３と、を有する。
【００１７】
通信ユニット１１は、制御装置２０Ａと通信を行うためのものであり、例えばＢｌｕｅｔｏｏｔｈ（登録商標）、Ｆｅｌｉｃａ（登録商標）、ＲＦＩＤ(Radio Frequency Identification)などの近接通信や、ユーザを介した人体通信などを行う。本実施形態では、通信ユニット１１は、携帯機器１０の一部（例えば外面）でユーザが触れる位置に設けられた電極１１１と、当該電極１１１を用いて人体通信を行う人体通信部１１２と、を有する。人体通信部１１２は、ユーザが座席に座った状態で制御装置２０Ａの人体通信部２１２と人体通信を行い、後述する記憶部１２に記憶されたユーザの体に関する情報を制御装置２０Ａに送信する。なお、ユーザと携帯機器１０が直接接触している場合はもちろん、シャツやズボンを介してユーザと携帯機器１０が接触している場合でも、人体通信は可能である。
【００１８】
記憶部１２は、例えば、フラッシュメモリ等の不揮発性の半導体メモリや、ハードディスクドライブであり、携帯機器１０のユーザの体に関する情報を記憶する。本実施形態では、記憶部１２は、図２に示す、ユーザの身長、体重、喫煙有無を格納するユーザ情報テーブルを記憶する。
【００１９】
制御部１３は、ＣＰＵ（Central Processing Unit）、ＲＯＭ（Read Only Memory）、およびＲＡＭ（Random Access Memory）等を備え、携帯機器１０全体を制御する。本実施形態においては、制御部１３は、通信ユニット１１を制御し、ユーザ情報テーブルを制御装置２０Ａへ送信する。
【００２０】
（制御装置２０Ａ）
制御装置２０Ａは、図１に示すように、通信ユニット２１Ａ〜２１Ｄ、記憶部２２、制御部２３、および通信部２４を備える。
【００２１】
通信ユニット２１Ａ〜２１Ｄは、携帯機器１０と通信を行うためのものであり、例えばＢｌｕｅｔｏｏｔｈ（登録商標）、Ｆｅｌｉｃａ（登録商標）、ＲＦＩＤ(Radio Frequency Identification)などの近接通信や、ユーザを介した人体通信などを行う。本実施形態では、通信ユニット２１Ａ〜２１Ｄは、それぞれ、各座席の一部であって、ユーザと接触する位置（例えば、座面、背もたれ等）に設けられた電極２１１Ａ〜２１１Ｄと、当該電極２１１Ａ〜２１１Ｄを用いて人体通信を行う人体通信部２１２と、を有する。本実施形態では、図３に示すように、電極２１１Ａ〜２１１Ｄは、各座席の座面に設けられている。人体通信部２１２は、ユーザが座席に座った状態で、ユーザが保持する携帯機器１０の人体通信部１１２と人体通信を行い、携帯機器１０の記憶部１２に記憶されたユーザの体に関する情報を携帯機器１０から受信する。なお、ユーザと電極２１１Ａ〜２１１Ｄとの間にシート布、衣服等が存在する場合にも、人体通信は可能である。なお、本実施形態では、通信ユニット２１Ａ〜２１Ｄがそれぞれ人体通信部２１２を備えているが、通信ユニット２１Ａ〜２１Ｄで１つの人体通信部２１２を共有してもよい。
【００２２】
記憶部２２は、例えば、フラッシュメモリ等の不揮発性の半導体メモリや、ハードディスクドライブであり、携帯機器１０から受信したユーザの体に関する情報を、ユーザの着席位置と関連付けて記憶する（詳細は後述する）。
【００２３】
制御部２３は、ＣＰＵ、ＲＯＭ、およびＲＡＭ等を備え、制御装置２０Ａ全体を制御する。本実施形態においては、制御部２３は、携帯機器１０から受信したユーザの体に関する情報と、ユーザ間の位置関係とに基づいて、各ユーザに満足感を与えられるような座席の前後方向の位置・高さを決定し、座席ＥＣＵ３０に座席の移動を指示する。なお、本実施形態では、前側の座席（運転席ＤＳ，助手席ＰＳ）については、前後方向・上下方向（高さ方向）への移動が可能であり、後部座席ＲＳ１，ＲＳ２については、上下方向への移動が可能であるものとする。
【００２４】
通信部２４は、座席の位置や高さを調整する座席ＥＣＵ３０と通信を行うためのものである。通信部２４は、制御部２３が決定した各座席の前後位置・高さを座席ＥＣＵ３０に送信する。
【００２５】
（座席ＥＣＵ３０）
座席ＥＣＵ３０は、制御部２３から各座席の前後位置・高さに関する指示を受信し、当該指示に基づき、不図示の駆動装置を用いて各座席を前後方向・上下方向に移動させる。すなわち、本実施形態において、座席ＤＳ，ＰＳ，ＲＳ１，ＲＳ２は電動シートであるものとする。
【００２６】
次に、制御装置２０Ａの制御部２３が実行する座席位置の調整処理（座席位置調整処理）について説明する。なお、以下の説明において、運転席ＤＳの前後位置・高さについては、運転者にとって最適な運転姿勢となるように、手動または自動で予め調整されているものとする。この場合において、手動の場合は、運転者が電動シートの操作ボタンを操作することによって運転席ＤＳの前後位置・高さを調節すればよいし、自動の場合には、制御部２３が、ステップＳ１１で取得した運転者の身長に基づいて、最適な運転姿勢となるように運転席ＤＳの前後位置・高さを変更するよう座席ＥＣＵ３０に指示すればよい。
【００２７】
図４は、制御部２３が実行する座席位置調整処理の一例を示すフローチャートである。図４の処理は、エンジンスイッチの位置が“ＡＣＣ”または“ＯＮ”になると開始される。
【００２８】
（座席位置調整処理）
図４の処理では、まず、ステップＳ１１において、制御部２３は、通信ユニット２１Ａ〜２１Ｄを用いて、各ユーザの着席位置と、各座席に着席したユーザの体に関する情報とを取得し、記憶部２２に記憶する。ここで、図５に示すように、携帯機器１０Ａを保持するユーザＡが運転席ＤＳに座り、携帯機器１０Ｂを保持するユーザＢが助手席ＰＳに座り、携帯機器１０Ｃを保持するユーザＣが助手席側の後部座席ＲＳ１に座ったとする。この場合、制御部２３は、図６に示すように、運転席ＤＳに設けられた通信ユニット２１Ａと人体通信が成立した携帯機器１０ＡのユーザＡの体に関する情報を、ユーザＡが着席した“運転席ＤＳ”と関連付けて記憶する。また、助手席ＰＳに設けられた通信ユニット２１Ｂと人体通信が成立した携帯機器１０ＢのユーザＢの体に関する情報を、“助手席ＰＳ”と関連付けて記憶する。また、助手席側の後部座席ＲＳ１に設けられた通信ユニット２１Ｃと人体通信が成立した携帯機器１０ＣのユーザＣの体に関する情報を“助手席側後部座席ＲＳ１”と関連付けて記憶する。なお、運転席側の後部座席ＲＳ２に設けられた通信ユニット２１Ｄは人体通信が成立しないので、対応するデータが登録されていない。
【００２９】
次いで、ステップＳ１３において、制御部２３は、助手席ＰＳと、助手席側後部座席ＲＳ１とにユーザが存在するか否かを判断する。ここで、図５に示すように、助手席ＰＳにユーザＢが座り、助手席側後部座席ＲＳ１にユーザＣが座っている。この場合、ステップＳ１３の判断が肯定され、ステップＳ１５に移行する。
【００３０】
ステップＳ１５に移行すると、制御部２３は、助手席ＰＳのユーザの身長が、助手席側後部座席ＲＳ１のユーザの身長よりも所定値以上（例えば、５ｃｍ）高いか否かを判断する。ここで、助手席ＰＳに座っているユーザＢの身長は、助手席側後部座席ＲＳ１に座っているユーザＣの身長よりも２５ｃｍ高い（図６参照）。この場合、ステップＳ１５の判断が肯定され、ステップＳ１７に移行する。
【００３１】
ステップＳ１７に移行すると、制御部２３は、助手席ＰＳが基準位置よりも後ろに位置するように、助手席ＰＳを移動させ、ステップＳ２５に移行する。例えば、制御部２３は、基準位置から身長差の２分の１の距離分（図６の場合、１２．５ｃｍ）後ろの位置に助手席ＰＳを移動させるよう通信部２４を介して、座席ＥＣＵ３０に指示する。ここで、本実施形態において、基準位置とは、例えば、助手席ＰＳの初期位置であり、助手席ＰＳの足元の空間と助手席側後部座席ＲＳ１の足元の空間とが、ほぼ同一となる位置である。なお、助手席ＰＳを基準位置からどの程度移動させるかは、例えば、助手席ＰＳのユーザと後部座席ＲＳ１のユーザとの身長差、および、助手席ＰＳの移動可能範囲に基づいて、後部座席ＲＳ１のユーザに閉塞感を与えない程度に適宜決定すればよい。これにより、助手席ＰＳに座っているユーザの座席位置に関する満足度を向上することができるとともに、後部座席ＲＳ１のユーザに閉塞感や不満感を与えない座席位置を提供することができる。すなわち、複数のユーザの座席位置に関する満足度を向上することができる。
【００３２】
ところで、助手席ＰＳのユーザの身長が、後部座席ＲＳ１のユーザの身長よりも所定値以上（例えば、５ｃｍ）高くない場合には、ステップＳ１５の判断が否定され、制御部２３は、ステップＳ１９に移行する。
【００３３】
ステップＳ１９に移行すると、制御部２３は、後部座席ＲＳ１のユーザの身長が、助手席ＰＳのユーザの身長よりも所定値以上（例えば、５ｃｍ）高いか否かを判断する。ここでの判断が肯定された場合には、ステップＳ２１に移行する。
【００３４】
ステップＳ２１に移行すると、制御部２３は、助手席ＰＳの位置が基準位置よりも前の位置となるように、助手席ＰＳを移動させ、ステップＳ２５に移行する。例えば、制御部２３は、基準位置から身長差の２分の１の距離分前の位置に助手席ＰＳを移動させるように通信部２４を介して、座席ＥＣＵ３０に指示する。なお、助手席ＰＳを基準位置からどの程度移動させるかは、例えば、助手席ＰＳのユーザと後部座席ＲＳ１のユーザとの身長差、および、助手席ＰＳの移動可能範囲に基づいて、助手席ＰＳのユーザに閉塞感を与えない程度に適宜決定すればよい。これにより、助手席ＰＳのユーザに閉塞感や不満感を与えることなく、後部座席ＲＳ１のユーザの座席位置に対する満足度を向上させることができる。すなわち、複数のユーザの座席位置に対する満足度を向上することができる。
【００３５】
ところで、後部座席ＲＳ１のユーザの身長が、助手席ＰＳのユーザの身長よりも所定値以上（例えば、５ｃｍ）高くない場合には、ステップＳ１９の判断が否定され、制御部２３は、ステップＳ２３に移行する。
【００３６】
ステップＳ２３に移行すると、制御部２３は、助手席ＰＳの位置が基準位置となるように、助手席ＰＳを移動させ、ステップＳ２５に移行する。これにより、助手席ＰＳの位置が、助手席ＰＳのユーザ及び後部座席ＲＳ１のユーザにとって足元の空間の広さという点において公平な位置となるため、助手席ＰＳのユーザ及び後部座席ＲＳ１のユーザの座席位置に対する満足度を向上させることができる。
【００３７】
ステップＳ２５に移行すると、制御部２３は、運転席ＤＳと、運転席側後部座席ＲＳ２とにユーザが存在するか否かを判断する。ここでの判断が否定された場合には、制御部２３は、図４の処理を終了するが、ここでの判断が肯定された場合には、ステップＳ２７に移行する。
【００３８】
ステップＳ２７に移行すると、制御部２３は、後部座席ＲＳ２のユーザの身長が、運転席ＤＳのユーザの身長よりも所定値以上（例えば、５ｃｍ）高いか否かを判断する。ここでの判断が否定された場合には、制御部２３は、図４の処理を終了するが、ここでの判断が肯定された場合には、ステップＳ２９に移行する。
【００３９】
ステップＳ２９に移行すると、制御部２３は、運転席ＤＳの位置が基準位置よりも後ろにあるか否かを判断する。ここで、基準位置とは、例えば、運転席ＤＳの初期位置であり、運転席ＤＳの足元の空間と運転席側後部座席ＲＳ２の足元の空間とが、ほぼ同一となる位置である。運転席ＤＳの位置が基準位置よりも後ろにある場合には、ステップＳ２９の判断が肯定され、制御部２３は、ステップＳ３１に移行する。
【００４０】
ステップＳ３１に移行すると、制御部２３は、後部座席ＲＳ２の足元の閉塞感を緩和するために、後部座席ＲＳ２の上下方向の位置（高さ）を、例えば、身長差の２分の１分だけ低くする。なお、後部座席ＲＳ２の上下方向の移動距離は、身長差と、後部座席ＲＳ２の上下方向の移動可能範囲と、に基づいて適宜決定すればよい。なお、本実施形態において、後部座席ＲＳ２のユーザの身長が運転席ＤＳのユーザの身長よりも所定値以上高かったとしても、運転席ＤＳを前後方向・上下方向に移動させないのは、運転者の最適な運転姿勢を維持するためである。これにより、運転席ＤＳのユーザにとって最適な運転姿勢を維持しつつ、運転席側の後部座席ＲＳ２に座ったユーザの座席位置に対する満足度を向上させることができる。
【００４１】
ところで、運転席ＤＳの位置が基準位置よりも前にある場合には、ステップＳ２９の判断が否定されるので、制御部２３は、ステップＳ３１の処理を実行せず、図４の処理を終了する。
【００４２】
以上、詳細に説明したように、本第１の実施形態によれば、制御装置２０Ａの制御部２３が、通信ユニット２１Ａ〜２１Ｄを用いて複数のユーザに関する情報とその位置とを取得し、当該複数のユーザに関する情報と、複数のユーザ間の位置関係と、に基づき、座席の位置を制御するので、複数のユーザの座席の位置に対する満足度を向上することができる。
【００４３】
また、本第１の実施形態によれば、複数のユーザに関する情報は、複数のユーザの体に関する情報（身長）であるため、前後の座席に着席したユーザの身長を考慮して、両方のユーザの満足度を向上できる座席位置を提供することができる。
【００４４】
なお、上記第１の実施形態において、制御部２３は、通信ユニット２１Ａ〜２１Ｄを用いて、複数のユーザに関する情報と位置とを取得していたが、これに限られるものではない。例えば、制御システム５００Ａが撮像装置を備え、当該撮像装置が撮像した撮像画像を、公知の画像解析技術を用いて解析し、各座席に座るユーザの体形や身長に関する情報やユーザの位置を特定してもよい。また、各ユーザの体に関する情報は通信ユニット２１Ａ〜２１Ｄを介して取得し、ユーザの位置情報は撮像装置を用いて取得するようにしてもよい。この場合、携帯機器１０と携帯機器１０のユーザの顔画像とを関連付けて記憶部１２に記憶させておけばよい。
【００４５】
なお、上記第１の実施形態において、制御部２３は、助手席ＰＳを前後方向に移動させていたが、助手席ＰＳを上下方向に移動させてもよい。あるいは、制御部２３は、助手席ＰＳを前後方向および上下方向に移動させてもよい。また、制御部２３は、助手席ＰＳの前後方向及び上下方向の少なくとも一方に移動させるとともに、助手席側後部座席ＲＳ１を上下方向に移動させてもよい。これにより、前後の位置関係にある複数のユーザの座席位置に対する満足度をさらに向上させることができる。また、各座席が左右方向にも移動可能な場合には、制御部２３は、各座席を左右方向に移動させてもよい。
【００４６】
また、上記第１の実施形態において、制御システム５００Ａが備える携帯機器１０の数は、３つに限定されるものではない。携帯機器１０の数は車両に乗車する人数に応じて、変更可能である。
【００４７】
また、制御装置２０Ａが備える通信ユニットの数は、４つに限定されるものではなく、３つ以下であってもよいし、５つ以上であってもよい。通信ユニットの数は、車両の座席数や電極の配置に応じて適宜決定すればよい。例えば、通信ユニットが、後部座席の座面に離散的に複数設けられた電極を備える場合、通信ユニットの数を運転席ＤＳ用、助手席ＰＳ用、後部座席用の３つとしてもよい。この場合、制御部２３は、後部座席の座面に離散的に配置された複数の電極のいずれを用いて人体通信が成立しているかを判断することによって、ユーザの着席位置を特定すればよい。
【００４８】
また、上記実施形態においては、ユーザの身長，体重，および喫煙有無をユーザの体に関する情報として取得していたが、これに限られるものではない。例えば、携帯機器１０の記憶部１２が、ユーザの座高や足の長さ、胴回り等の情報を記憶し、制御装置２０Ａの制御部２３は、これらの情報と、ユーザ同士の位置関係とに基づき、座席を移動させてもよい。
【００４９】
（変形例）
上記第１の実施形態では、ユーザの体に関する情報及びユーザ同士の位置関係に基づき座席を移動させたが、これに限られるものではない。例えば、ユーザの体に関する情報及びユーザ同士の位置関係に基づき、エアコンの吹き出し口の風量・風向き・温度を制御してもよい。この場合、通信部２４と、エアコンの制御を行うエアコンＥＣＵとを接続し、制御部２３が、エアコンの吹き出し口の風量・風向き・温度をエアコンＥＣＵに指示すればよい。例えば、図５および図６に示すように、運転席ＤＳに喫煙者であるユーザＡが座り、助手席ＰＳに喫煙しないユーザＢが座っている場合、制御部２３は、図７に示すダッシュボードＤＢに設置された４つのエアコンの吹き出し口９０−１〜９０−４において、運転席ＤＳと助手席ＰＳとの間にある吹き出し口９０−２及び９０−３の風向きを運転席側に向けるとともに、風量を吹き出し口９０−４の風量よりも大きくすることによって、ユーザＡのタバコの煙や匂いが助手席ＰＳに届かないようにすることができる。これにより、運転席ＤＳのユーザＡと、助手席ＰＳのユーザＢの両方にとって快適な車内空間を提供することができ、エアコンの動作に対する満足度を向上させることができる。
【００５０】
また、例えば、携帯機器１０の記憶部１２は、ユーザが暑がりであるか、寒がりであるかの情報を記憶し、制御装置２０Ａの制御部２３は、これらの情報と、ユーザ同士の位置関係とに基づき、エアコンの吹き出し口の風量・風向き・温度を制御してもよい。
【００５１】
《第２の実施形態》
次に、図８〜図１３に基づいて、第２の実施形態について、詳細に説明する。図８には、第２の実施形態にかかる制御システム５００Ｂの構成がブロック図にて示されている。
【００５２】
制御システム５００Ｂは、座席の位置が移動できない飛行機、新幹線、バス等において利用されるシステムであり、本実施形態では、新幹線において利用されるものとする。図８に示すように、制御システム５００Ｂは、携帯機器１０−１〜１０−ｎ（ｎは任意の整数）と、制御装置２０Ｂと、リクライニング制御装置５０−１〜５０−ｎと、を備える。
【００５３】
（携帯機器１０−１〜１０−ｎ）
携帯機器１０−１〜１０−ｎは、乗客（ユーザ）により携帯された状態で利用される情報機器である。携帯機器１０−１〜１０−ｎとしては、携帯電話、スマートフォン、ＰＨＳ、ＰＤＡ等を採用することができるが、本実施形態では、携帯機器１０−１〜１０−ｎは、スマートフォンであるものとする。また、本実施形態においては、携帯機器１０−１〜１０−ｎは、電話機能やインターネット等に接続するための通信機能、および、プログラムを実行するためのデータ処理機能等を有する。なお、携帯機器１０−１〜１０−ｎの構成は、第１の実施形態の携帯機器１０Ａ〜１０Ｃと同様であるため、その説明を省略し、以後、特に区別する必要のない限り、携帯機器１０−１〜１０−ｎを、携帯機器１０と記載し、説明を行う。
【００５４】
（制御装置２０Ｂ）
制御装置２０Ｂは、図８に示すように、通信ユニット２１−１〜２１−ｎと、記憶部２２と、制御部２３と、通信部２４と、を備える。
【００５５】
通信ユニット２１−１〜２１−ｎは、携帯機器１０−１〜１０−ｎと通信を行うためのものであり、例えばＢｌｕｅｔｏｏｔｈ（登録商標）、Ｆｅｌｉｃａ（登録商標）、ＲＦＩＤなどの近接通信や、ユーザを介した人体通信などを行う。本実施形態では、通信ユニット２１−１〜２１−ｎは、それぞれ、新幹線の座席の一部（外面）であって乗客（ユーザ）と接触する位置（例えば、座面、背もたれ等）に設けられた電極２１１−１〜２１１−ｎと、当該電極２１１−１〜２１１−ｎを用いて人体通信を行う人体通信部２１２と、を有する。本実施形態では、電極２１１−１〜２１１−ｎは、図９に示すように、各座席の座面に設けられているものとする。人体通信部２１２は、乗客（ユーザ）が座席に座った状態で、乗客が保持する携帯機器１０の人体通信部１１２と人体通信を行い、携帯機器１０の記憶部１２に記憶された乗客の体に関する情報を携帯機器１０から受信する。なお、乗客と電極２１１−１〜２１１−ｎとの間にシート布、衣服等が存在する場合にも、人体通信は可能である。なお、本実施形態では、通信ユニット２１−１〜２１−ｎがそれぞれ人体通信部２１２を備えているが、通信ユニット２１−１〜２１−ｎで１つの人体通信部２１２を共有してもよい。
【００５６】
記憶部２２は、例えば、フラッシュメモリ等の不揮発性の半導体メモリやハードディスクドライブであり、携帯機器１０から受信した乗客の体に関する情報を記憶する。
【００５７】
制御部２３は、ＣＰＵ、ＲＯＭ、およびＲＡＭ等を備え、制御装置２０Ｂ全体を制御する。本実施形態においては、制御部２３は、携帯機器１０から受信したユーザの体に関する情報と、車両内に存在する乗客同士の位置関係とに基づいて、各座席のリクライニングの範囲を決定し、リクライニング範囲をリクライニング制御装置５０−１〜５０−ｎに指示する。なお、本実施形態では、各座席のリクライニング範囲を、図１０に示すように、３段階（レベル１：可動範囲の間で可能、レベル２：可動範囲の２分の１の範囲で可能、レベル３：リクライニング不可）に設定できるものとする。図１０は、各レベルにおいて、背もたれを最も倒した状態を図示している。
【００５８】
通信部２４は、各座席のリクライニング動作を制御するリクライニング制御装置５０−１〜５０−ｎと通信を行うためのものである。通信部２４は、制御部２３が決定した各座席のリクライニングの範囲をリクライニング制御装置５０−１〜５０−ｎに送信する。
【００５９】
（リクライニング制御装置５０−１〜５０−ｎ）
リクライニング制御装置５０−１〜５０−ｎは、例えば、図９，図１０に示すように、各座席の脚部に設けられ、座席のリクライニング動作を制御するためのものである。座席のリクライニング方式は、機械式、油圧シリンダー方式、電動式のいずれであってもよい。リクライニング制御装置５０−１〜５０−ｎは、制御装置２０Ｂから、制御部２３が決定した各座席のリクライニングの範囲を受信し、当該リクライニング範囲の間で座席をリクライニングさせる。これにより、座席のリクライニング動作が規制（制限）される。
【００６０】
次に、図１１のフローチャートを用いて、制御装置２０Ｂの制御部２３が実行する座席のリクライニング動作を規制（制限）する処理（リクライニング制限処理）の一例について説明する。図１１の処理は、新幹線の制御系統の電源がオンされると開始される。
【００６１】
（リクライニング制限処理）
図１１の処理では、まず、制御部２３は、ステップＳ１０１において、通信ユニット２１−１〜２１−ｎを用いて、乗客の着席位置と、各座席に着席した乗客の体に関する情報とを取得し、乗客の体に関する情報を、当該乗客の着席位置と関連付けて記憶部２２に記憶する。ここでは、図９に示す座席に置いて、座席ＴＳ−１、ＴＳ−２、およびＴＳ−４に乗客が座っているものとする。この場合、制御部２３は、図１２（Ａ）に示すように、乗客の着席位置と、乗客の体に関する情報（身長、体重）とを関連付けて記憶部２２に記憶する。
【００６２】
次いで、ステップＳ１０３において、制御部２３は、リクライニング範囲を決定する座席を選択する。例えば、制御部２３は、図１２（Ａ）の乗客情報テーブルにおいて、座席ＴＳ−１をリクライニング範囲を決定する座席として選択する。
【００６３】
次いで、ステップＳ１０５において、制御部２３は、図１３に示すリクライニング範囲決定テーブルに基づき、ステップＳ１０３で選択した座席のリクライニング範囲を決定する。ここで、リクライニング範囲決定テーブルは、リクライニング範囲を決定する座席（リクライニング範囲決定対象座席）に座っている乗客の身長と、その後の座席に座っている乗客の身長とに基づき、リクライニングの範囲を定義したテーブルである。制御部２３は、リクライニング範囲決定対象座席に座っている乗客の身長と、後部座席の乗客の身長とが交差するカラムに入力されているリクライニング範囲を、リクライニング範囲決定対象座席のリクライニング範囲として決定する。ここで、座席ＴＳ−１の乗客の身長は、１５０ｃｍ未満であるが、後の座席ＴＳ−３には乗客が座っていないため、制御部２３は、座席ＴＳ−１のリクライニング範囲として、レベル１を決定する（図１０，図１３，図１２（Ｂ）参照）。
【００６４】
次いで、ステップＳ１０７において、制御部２３は、全ての座席を処理したか、すなわち、乗客が座っている全ての座席に対してリクライニング範囲を決定したか否かを判断する。ここでは、まだ、座席ＴＳ−２及びＴＳ−４のリクライニング範囲が決定されていないため、ステップＳ１０３に戻る。
【００６５】
次いで、制御部２３は、ステップＳ１０３において、リクライニング範囲を決定する座席として座席ＴＳ−２を選択する。座席ＴＳ−２の乗客の身長は１７５ｃｍ以上であり、座席ＴＳ−２の後の座席ＴＳ−４の乗客の身長も１７５ｃｍ以上であるため、制御部２３は、ステップＳ１０５において、図１３のテーブルに基づき、座席ＴＳ−２のリクライニング範囲として、レベル２を決定する（図１２（Ｃ））。このようにして、制御部２３は、乗客が座っている全ての座席に対してリクライニング範囲を決定するまで、ステップＳ１０３〜ステップＳ１０７の判断・処理を繰り返す。そして、乗客が座っている全ての座席に対してリクライニング範囲を決定した段階で、ステップＳ１０７の判断が肯定され、ステップＳ１０９に移行する。
【００６６】
ステップＳ１０９に移行すると、制御部２３は、リクライニング制御装置５０−１〜５０−ｎに、各座席ＴＳ−１〜ＴＳ−ｎのリクライニング範囲を送信して、図１１の処理を終了する。リクライニング制御装置５０−１〜５０−ｎは、座席のリクライニング範囲を指示された範囲に規制（制限）する。これにより、複数の乗客の快適性を損なうことなく、座席のリクライニングに対する乗客の満足度を向上させることができる。
【００６７】
以上、詳細に説明したように、第２の実施形態によれば、制御装置２０Ｂの制御部２３が、通信ユニット２１−１〜２１−ｎを用いて、複数の乗客に関する情報と、当該複数の乗客が着席した座席位置とを取得し、当該複数の乗客に関する情報と、乗客が座った座席の位置関係と、に基づき、座席のリクライニング動作を規制（制限）するので、複数の乗客の快適性を損なうことなく、座席のリクライニングに対する乗客の満足度を向上させることができる。
【００６８】
なお、上記第２の実施形態においては、リクライニング範囲を決定するのに乗客の身長を用いていたが、これに限られるものではない。例えば、乗客が妊婦であるか否か、杖を使用しているか否か等の情報を、携帯機器１０の記憶部１２が記憶し、当該情報と、乗客同士の位置関係とに基づいてリクライニング範囲を決定してもよい。例えば、後の座席に座っている乗客が妊婦の場合には、前の席のリクライニングの範囲をレベル３（リクライニング不可）に設定するようにしてもよい。また、身長と体重とからＢＭＩ（Body Mass Index）を求め、当該ＢＭＩと乗客同士の位置関係とに基づいてリクライニング範囲を決定してもよい。
【００６９】
また、上記第２の実施形態において、各座席に対してリクライニング制御装置５０−１〜５０−ｎを配置することとしていたが、これに限られるわけではない。各座席のリクライニング範囲を一括して制御する制御装置を１つ設けてもよい。
【００７０】
《第３の実施形態》
次に、図１４〜図１７を用いて、第３の実施形態について詳細に説明する。図１４には、第３の実施形態に係る制御システム５００Ｃの構成がブロック図にて示されている。
【００７１】
制御システム５００Ｃは、映画館や劇場等において利用されるシステムである。図１４に示すように、制御システム５００Ｃは、携帯機器１０−１〜１０−ｎ（ｎは任意の整数）と、制御装置２０Ｃと、上下位置制御装置８０−１〜８０−ｎと、を備える。なお、携帯機器１０−１〜１０−ｎについては、第２の実施形態の１０−１〜１０−ｎと同様の構成を有するため、同一の符号を付しその説明を省略する。
【００７２】
（制御装置２０Ｃ）
制御装置２０Ｃは、図１４に示すように、通信ユニット２１−１〜２１−ｎと、記憶部２２と、制御部２３と、通信部２４と、を備える。
【００７３】
通信ユニット２１−１〜２１−ｎは、携帯機器１０−１〜１０−ｎと通信を行うためのものであり、例えばＢｌｕｅｔｏｏｔｈ（登録商標）、Ｆｅｌｉｃａ（登録商標）、ＲＦＩＤなどの近接通信や、ユーザを介した人体通信などを行う。本実施形態では、通信ユニット２１−１〜２１−ｎは、それぞれ、映画館や劇場の座席の一部（外面）であって観客（ユーザ）と接触する位置（例えば、座面、背もたれ等）に設けられた電極２１１−１〜２１１−ｎと、当該電極２１１−１〜２１１−ｎを用いて人体通信を行う人体通信部２１２と、を有する。本実施形態では、電極２１１−１〜２１１−ｎは、図１５に示すように、各座席の座面に設けられているものとする。人体通信部２１２は、観客（ユーザ）が座席に座った状態で、観客が保持する携帯機器１０の人体通信部１１２と人体通信を行い、携帯機器１０の記憶部１２に記憶された観客の体に関する情報を携帯機器１０から受信する。なお、観客と電極２１１−１〜２１１−ｎとの間にシート布、衣服等が存在する場合にも、人体通信は可能である。なお、本実施形態では、通信ユニット２１−１〜２１−ｎがそれぞれ人体通信部２１２を備えているが、通信ユニット２１−１〜２１−ｎで１つの人体通信部２１２を共有してもよい。
【００７４】
記憶部２２は、例えば、フラッシュメモリ等の不揮発性の半導体メモリやハードディスクドライブであり、携帯機器１０から受信した観客の体に関する情報を記憶する。
【００７５】
制御部２３は、ＣＰＵ、ＲＯＭ、およびＲＡＭ等を備え、制御装置２０Ｃ全体を制御する。本実施形態においては、制御部２３は、携帯機器１０から受信した観客の体に関する情報と、観客同士の位置関係とに基づいて、各座席の上下方向の位置（高さ）を決定し、上下位置制御装置８０−１〜８０−ｎに指示する。
【００７６】
通信部２４は、各座席の上下方向の位置を制御する上下位置制御装置８０−１〜８０−ｎと通信を行うためのものである。通信部２４は、制御部２３が決定した各座席の上下方向の位置を上下位置制御装置８０−１〜８０−ｎに送信する。
【００７７】
（上下位置制御装置８０−１〜８０−ｎ）
上下位置制御装置８０−１〜８０−ｎは、例えば、図１５に示すように、各座席の脚部に設けられ、座席の上下方向の位置を制御するためのものである。上下位置制御装置８０−１〜８０−ｎは、制御装置２０Ｃから、制御部２３が決定した各座席の上下方向の位置を受信し、不図示の駆動装置により、座席の上下方向の位置を変更する。なお、本実施形態においては、上下位置制御装置８０−１〜８０−ｎは、各座席を下方向に移動させる（座面の位置を低くする）ものとする。なお、以後の説明において、特に区別する必要のない限り、上下位置制御装置８０−１〜８０−ｎを、上下位置制御装置８０と記載する。
【００７８】
次に、図１６のフローチャートを用いて、制御装置２０Ｃの制御部２３が実行する座席の上下方向の位置（高さ）を調整する処理（高さ調整処理）の一例について説明する。図１６の処理は、例えば、劇場や映画館等において開演や上演のブザーがなると開始される。なお、以後の説明において、図１６の処理が開始される時点では、全ての座席の上下方向の位置は初期位置にある、すなわち、座席の高さが全て等しいものとする。
【００７９】
（高さ調整処理）
図１６の処理では、まず、ステップＳ３０１において、制御部２３は、通信ユニット２１−１〜２１−ｎを用いて、観客の着席位置と、各座席に着席した観客の体に関する情報とを取得し、観客の体に関する情報を、当該観客の着席位置と関連付けて記憶部２２に記憶する。ここでは、図１５に示す座席において、座席ＴＳ−２およびＴＳ−３に観客が座っているものとする。この場合、制御部２３は、図１７に示すように、観客の着席位置と、観客の体に関する情報（身長）とを関連付けて記憶部２２に記憶する。
【００８０】
次いで、ステップＳ３０３において、制御部２３は、座席の上下方向の位置（高さ）を決定する座席を選択する。例えば、制御部２３は、図１７の観客情報テーブルにおいて、座席ＴＳ−２を高さを決定する座席として選択する。
【００８１】
次いで、ステップＳ３０５において、制御部２３は、ステップＳ３０３で選択した座席の後の座席に、観客が存在するか否かを判断する。ここで、ステップＳ３０３で選択した座席ＴＳ−２の後の座席ＴＳ−３には、観客が座っているため、ここでの判断が肯定され、ステップＳ３０７に移行する。
【００８２】
ステップＳ３０７に移行すると、制御部２３は、後の座席の観客の身長が、ステップＳ３０３で選択した座席の観客の身長よりも所定値以上（例えば、１０ｃｍ）低いか否かを判断する。ここで、座席ＴＳ−３の観客の身長は、座席ＴＳ−２の観客の身長よりも１５ｃｍ低いため、ここでの判断が肯定され、ステップＳ３０９に移行する。
【００８３】
ステップＳ３０９に移行すると、制御部２３は、ステップＳ３０３で選択した座席の上下方向の位置（高さ）を下げるように、上下位置制御装置８０に指示し、ステップＳ３１１に移行する。例えば、制御部２３は、座席ＴＳ―２の座席の高さを、身長差の２分の１（図１７の例では７．５ｃｍ）だけ低くするように、上下位置制御装置８０−２に指示する。なお、座席をどの程度低くするかは、前後関係にある観客の身長差と、座席の移動可能範囲とに基づいて、前の座席の観客に不快感を与えない程度で適宜決定すればよい。これにより、身長の高い観客の後ろに座った観客の身長が低い場合でも、後の座席の観客のステージやスクリーンの見やすさを向上させることができる。
【００８４】
ところで、ステップＳ３０７において、後の座席の観客の身長が、ステップＳ３０３で選択した座席の観客の身長よりも所定値以上（例えば、１０ｃｍ）低くない場合には、ステップＳ３１１に移行する。
【００８５】
ステップＳ３１１に移行すると、制御部２３は、全ての座席を処理したか否か、すなわち、乗客が座っている全ての座席に対してリクライニング範囲を決定したか否かを判断する。ここでは、まだ、座席ＴＳ−３の高さを決定していないため、ステップＳ３０３に戻る。
【００８６】
次いで、制御部２３は、ステップＳ３０３において、高さを決定する座席として座席ＴＳ−３を選択する。ここで、座席ＴＳ−３の後の座席には、観客が座っていない。この場合、ステップＳ３０５の判断が否定され、制御部２３は、座席の高さを変更せずに、ステップＳ３１１へ移行する。このようにして、制御部２３は、観客が座っている全ての座席に対してその高さを決定するまで、ステップＳ３０３〜ステップＳ３１１の判断・処理を繰り返す。そして、観客が座っている全ての座席に対してその高さを決定した段階で、ステップＳ３１１の判断が肯定され、制御部２３は、図１６の処理を終了する。
【００８７】
以上、詳細に説明したように、第３の実施形態によれば、制御装置２０Ｃの制御部２３が、通信ユニット２１−１〜２１−ｎを用いて、複数の観客に関する情報（身長）と、当該複数の観客が着席した座席位置とを取得し、当該複数の観客に関する情報と、観客が座った座席の位置関係と、に基づき、座席の高さを調整するので、複数の観客のステージやスクリーンの観賞しやすさを損なうことなく、座席の高さに対する乗客の満足度を向上させることができる。
【００８８】
《第４の実施形態》
次に、図１８〜図２０を用いて、第４の実施形態について詳細に説明する。図１８には、第４の実施形態に係る制御システム５００Ｄの構成がブロック図にて示されている。
【００８９】
制御システム５００Ｄは、展示会等において利用されるシステムである。図１８に示すように、制御システム５００Ｃは、携帯機器７０Ａ，７０Ｂと、制御装置２０Ｄと、表示装置６０と、を備える。
【００９０】
（携帯機器７０Ａ，７０Ｂ）
携帯機器７０Ａ，７０Ｂは、ユーザにより携帯された状態で利用される情報機器である。なお、以下の説明において、携帯機器７０Ａ，７０Ｂは、展示会で出展者及び来場者に渡される展示会用端末であるものとする。なお、携帯機器７０Ａと携帯機器７０Ｂとは同様の構成を備えるため、以後、特に区別する必要のない限り、携帯機器７０と記載し説明を行う。
【００９１】
携帯機器７０は、図１８に示すように、通信ユニット７１と、記憶部７２と、位置検出部７３と、制御部７４と、を備える。
【００９２】
通信ユニット７１は、制御装置２０Ｄと通信を行うためのものであり、例えばＢｌｕｅｔｏｏｔｈ（登録商標）、Ｆｅｌｉｃａ（登録商標）、ＲＦＩＤ(Radio Frequency Identification)などの近接通信や、ユーザを介した人体通信などを行う。本実施形態では、通信ユニット７１は、近接通信を行う近接通信部７１３を備える。近接通信部７１３は、制御装置２０Ｄの近接通信部２１３と近接通信を行い、後述する記憶部７２に記憶されたユーザの属性情報と、位置検出部７３が検出したユーザの位置情報とを、制御装置２０Ｄに送信する。
【００９３】
記憶部７２は、例えば、フラッシュメモリ等の不揮発性の半導体メモリや、ハードディスクドライブであり、携帯機器７０のユーザの属性情報を記憶する。本実施形態では、記憶部７２は、ユーザが展示会への出展者であるのか、あるいは、来場者であるのかを記憶する。
【００９４】
位置検出部７３は、例えば、ＧＰＳ（Global Positioning System）センサであり、ユーザの位置情報を検出し、制御部７４に出力する。
【００９５】
制御部７４は、ＣＰＵ、ＲＯＭ、およびＲＡＭ等を備え、携帯機器７０全体を制御する。本実施形態においては、制御部７４は、記憶部１２に記憶されたユーザの属性情報と、位置検出部７３により検出されたユーザの位置情報との制御装置２０Ｃへの送信を制御する。
【００９６】
（制御装置２０Ｄ）
制御装置２０Ｄは、図１８に示すように、通信ユニット２１と、記憶部２２と、制御部２３と、を備える。
【００９７】
通信ユニット２１は、携帯機器７０Ａ，７０Ｂと通信を行うためのものであり、例えばＢｌｕｅｔｏｏｔｈ（登録商標）、Ｆｅｌｉｃａ（登録商標）、ＲＦＩＤなどの近接通信や、ユーザを介した人体通信などを行う。本実施形態では、通信ユニット２１は、近接通信を行う近接通信部２１３を備える。近接通信部２１３は、携帯端末７０の近接通信部７１３と近接通信を行い、携帯端末７０からユーザの属性情報と位置情報とを受信する。なお、本実施形態において、通信ユニット２１は、図１９に示すように、展示ブースに配置されるものとする。
【００９８】
記憶部２２は、例えば、フラッシュメモリ等の不揮発性の半導体メモリや、ハードディスクドライブであり、後述する表示装置６０に表示する映像や画像データを格納する。
【００９９】
制御部２３は、ＣＰＵ、ＲＯＭ、およびＲＡＭ等を備え、制御装置２０Ｃ全体を制御する。本実施形態においては、制御部２３は、携帯機器７０から受信したユーザの属性と、ユーザ同士の位置関係とに基づいて、表示装置６０の動作を制御する。
【０１００】
次に、制御部２３が実行する表示装置６０の制御処理（表示装置制御処理）について、図２０のフローチャートを用いて説明する。図２０の処理は、制御装置２０Ｃの電源をオンすると開始される。
【０１０１】
（表示装置制御処理）
図２０の処理では、まず、ステップＳ２０１において、制御部２３は、近接通信部２１３の通信範囲内に存在するユーザの属性情報と位置情報とを、携帯機器７０から取得する。ここで、例えば、図１９に示すように、携帯機器７０Ａを保持するユーザＤと、携帯機器７０Ｂを保持するユーザＥとが、近接通信部２１３の通信範囲内に存在する場合、制御部２３は、ユーザＤおよびユーザＥの属性情報（出展者、来場者）と、位置情報とを携帯機器７０Ａと携帯機器７０Ｂとから取得する。なお、ユーザＤは出展者であり、ユーザＥは来場者であるものとする。
【０１０２】
次いで、ステップＳ２０３において、制御部２３は、近接通信部２１３の通信範囲内に存在するユーザの中に、来場者が存在するか否かを判断する。ここで、携帯機器７０Ｂを保持するユーザＥは、来場者であるため、ステップＳ２０３の判断が肯定され、ステップＳ２０４に移行する。
【０１０３】
ステップＳ２０４に移行すると、制御部２３は、近接通信部２１３の通信範囲内に存在するユーザの中に、出展者が存在するか否かを判断する。ここで、携帯機器７０Ａを保持するユーザＤは、出展者であるため、ステップＳ２０４の判断が肯定され、ステップＳ２０５に移行する。
【０１０４】
ステップＳ２０５に移行すると、制御部２３は、出展者と来場者との距離が閾値（例えば、１ｍ）未満であるか否かを判断する。具体的には、ステップＳ２０１で取得した各ユーザの属性情報と位置情報とに基づき、ユーザＤ（出展者）とユーザＥ（来場者）との距離が閾値（例えば、１ｍ）未満であるか否かを判断する。ここでの判断が肯定された場合、制御部２３は、ステップＳ２０７に移行する。
【０１０５】
ステップＳ２０７に移行すると、制御部２３は、表示装置６０に出展企業の商品の紹介映像を表示し、ステップＳ２１３に移行する。これにより、出展者であるユーザＤは、出展ブースに近づいてきた来場者（ユーザＥ）に対し、すぐに商品の説明を開始することができるため、ユーザＤの表示装置６０の動作に対する満足度が向上する。また、来場者であるユーザＥは、表示装置６０の起動や、切替を待たずに、すぐに商品の説明を聞くことができるため、ユーザＥの表示装置６０の動作に対する満足度が向上する。
【０１０６】
ところで、近接通信部２１３の通信範囲内に存在するユーザの中に、出展者が存在しない場合（ステップＳ２０４：否定）、あるいは、出展者と来場者との距離が閾値以上である場合（ステップＳ２０５：否定）には、制御部２３は、ステップＳ２０９に移行する。
【０１０７】
ステップＳ２０９に移行すると、制御部２３は、表示装置６０に出展企業の紹介映像を表示し、ステップＳ２１３に移行する。これにより、出展者が展示ブースのそばにいない場合や、来場者が出展者から離れている場合（展示ブースを観察している場合等）に、来場者の興味を引く映像を表示装置６０に表示することができる。また、来場者は、展示ブースの企業が自分の興味に合致する企業であるか否かを表示装置６０の映像により確認することができる。
【０１０８】
ところで、近接通信部２１３の通信範囲内に存在するユーザの中に来場者がいない場合には、ステップＳ２０３の判断が否定され、制御部２３は、ステップＳ２１１に移行する。
【０１０９】
ステップＳ２１１に移行すると、制御部２３は、表示装置６０の電源をオフし、ステップＳ２１３に移行する。なお、表示装置６０の電源をオフするかわりに、通常の動作時よりも消費電力が小さい省電力状態に表示装置６０を移行させてもよい。これにより、表示装置６０の消費電力を削減することができる。
【０１１０】
図２０の処理は、制御装置２０Ｄの電源がオフされるまで繰り返される。
【０１１１】
以上、詳細に説明したように、第４の実施形態によれば、制御装置２０Ｄの制御部２３が、近接通信部２１３を用いて複数のユーザの属性情報（出展者，来場者）と位置情報とを携帯機器１０から取得し、当該複数のユーザの属性情報と複数のユーザ間の位置関係と、に基づき、表示装置６０の動作を制御する制御部２３を備えるので、展示者および来場者両方の要望を満たす映像を表示装置６０に表示することができ、展示者及び来場者の表示装置６０の動作に対する満足度が向上する。
【０１１２】
なお、上記第４の実施形態においては、制御装置２０Ｄが、展示会における展示ブースでの表示装置６０の動作を制御する例について説明したが、これに限れらるものではない。例えば、制御装置２０Ｃは、展示会や、講演会や、学校・大学の教室等において、スピーカと聴衆との位置関係に基づいて、プロジェクタの投影方向や明るさ等を制御してもよい。
【０１１３】
なお、上記第４の実施形態において、携帯機器７０Ａ，７０Ｂは、携帯機器７０Ａ，７０Ｂは、展示会で出展者及び来場者に渡される展示会用端末であるとしたが、これに限られるものではない。例えば、携帯機器７０Ａ，７０Ｂは、スマートフォンであってもよい。また、携帯機器７０の数は、２つに限られるものではなく、展示会の出展者および来場者の数に応じて適宜決定すればよい。
【０１１４】
また、上記第４の実施形態において、出展者と来場者との距離が閾値（１ｍ）未満か否かを携帯機器７０の位置検出部７３から取得した位置情報に基づいて判断していたが、これに限られるものではない。例えば、近接通信部２１３との通信強度に基づいて判断してもよいし、近接通信部２１３の通信範囲を所定距離（１ｍ）に設定し、当該通信範囲内に出展者と来場者とが含まれる場合には、出展者と来場者との距離が閾値未満であると判断してもよい。
【０１１５】
上述した実施形態は本発明の好適な実施の例である。但し、これに限定されるものではなく、本発明の要旨を逸脱しない範囲内において種々変形実施可能である。
【符号の説明】
【０１１６】
２０Ａ〜２０Ｄ  制御装置
２１  通信ユニット
２１Ａ〜２１Ｄ  通信ユニット
２１−１〜２１−ｎ  通信ユニット
２３  制御部
２１１Ａ〜２１１Ｄ  人体通信部
２１１−１〜２１１−ｎ  人体通信ユニット
２１３  近接通信部
６０  表示装置
【図１】
2014196055.tif 000003
【図２】
2014196055.tif 000004
【図３】
2014196055.tif 000005
【図４】
2014196055.tif 000006
【図５】
2014196055.tif 000007
【図６】
2014196055.tif 000008
【図７】
2014196055.tif 000009
【図８】
2014196055.tif 000010
【図９】
2014196055.tif 000011
【図１０】
2014196055.tif 000012
【図１１】
2014196055.tif 000013
【図１２】
2014196055.tif 000014
【図１３】
2014196055.tif 000015
【図１４】
2014196055.tif 000016
【図１５】
2014196055.tif 000017
【図１６】
2014196055.tif 000018
【図１７】
2014196055.tif 000019
【図１８】
2014196055.tif 000020
【図１９】
2014196055.tif 000021
【図２０】
2014196055.tif 000022